(57)【要約】      （修正有）【課題】プライスカードレールに係合可能な傾斜棚専用の商品仕切板を提供する。【解決手段】長尺で平板状の基板部２と、基端部２の裏面に装着されたマグネット３と、基板部２上に基板部２の面と直交する上方に向けて連設した長尺で平板状の仕切板本体４と、仕切板本体４の前端部分に連設した、商品陳列棚の前面側に係止されたプライスカードレールの係合凹部に係合される係合部５０２を下端部近傍に有するストッパー部５を具備し、仕切板本体４は、基板部２に連設される下端部４０１の前端部分から斜め前方に向けてテーパー状に立ち上がったテーパー部を有する。該テーパー部の先端部分から上方に立ち上がったストッパー連設部にストッパー部５を連設し、係合部５０２と基板部２の前端部分との間に空間６を確保した。【選択図】図１
0003147744.tif 000002
【実用新案登録請求の範囲】
【請求項１】
前方に行くに従って下方側に傾斜する金属製の商品陳列棚上に配置した商品を仕切るために、商品陳列棚上に商品陳列棚の前後方向に向いて載置されて用いられる商品仕切板であって、
長尺で平板状の基板部（２）と、該基端部（２）の裏面に装着されたマグネット（３）と、前記基板部（２）上に基板部（２）の面と直交する上方に向けて連設した長尺で平板状の仕切板本体（４）と、該仕切板本体（４）の前端部分に連設した、前記商品陳列棚の前面側に係止されたプライスカードレールの係合凹部に係合される係合部（５０２）を下端部近傍に有するストッパー部（５）と、を具備し、
前記仕切板本体（４）は、前記基板部（２）に連設される下端部（４０１）の前端部分から斜め前方に向けてテーパー状に立ち上がったテーパー部（４０２）を有するとともに、該テーパー部（４０２）の先端部分から上方に立ち上がったストッパー連設部（４０４）を有し、該ストッパー連設部（４０４）に前記ストッパー部（５）を連設し、前記係合部（５０２）と前記基板部（２）の前端部分との間に空間（６）を確保したことを特徴とする商品仕切板。
【請求項２】
平面視野において前記仕切板本体（４）とストッパー部（５）とで略Ｌ字状あるいは略逆Ｌ字状になるような配置で、仕切板本体（４）の前端部にストッパー部（５）を連設したことを特徴とする請求項１に記載の商品仕切り板。
【請求項３】
平面視野において前記仕切板本体（４）とストッパー部（５）とで略逆Ｔ字状になるような配置で、仕切板本体（４）の前端部にストッパー部（５）を連設したことを特徴とする請求項１に記載の商品仕切り板。
【考案の詳細な説明】
【技術分野】
【０００１】
本考案は、スーパーマーケットやドラッグストアにおいて、前方に行くに従って下方側に傾斜する金属製の商品陳列棚（以下「傾斜棚」という。）の上に陳列された商品を仕切るために、傾斜棚上に傾斜棚の前後方向に向いて載置されて用いられる、裏面にマグネットを備えた商品仕切板に係り、より詳しくは、商品を傾斜棚上に傾斜棚と並行に配置しつつ、傾斜棚の前面側に係止されたプライスカードレールに係合可能とした商品仕切板に関する。
【背景技術】
【０００２】
一般的にスーパーマーケットやドラッグストアにおいては、特に文房具等の展示に際しては、手前側に行くに従って下側に傾斜した金属製の商品陳列棚である傾斜棚が用いられることがあり、更に、これらの傾斜棚に陳列された商品を種類別等に区分けするために、裏面にマグネットを備えた、傾斜棚専用の商品仕切板が用いられている。
【０００３】
ここで、前述のような傾斜棚専用の商品仕切板の従来例について説明すると、図８は従来の傾斜棚専用の商品仕切板を説明するための斜視図であり、図において３１が、従来の傾斜棚専用の商品仕切板である。そして、この従来の商品仕切板３１は、裏面にマグネット３５が装着された長尺な平板状の基板部３２を有している。
【０００４】
そして、この基板部３２の長手方向に沿った一側には、前記基板部３２の長手方向寸法とほぼ同一寸法の長さを有する、長尺で平板状の商品仕切部３３が、前記基板部３２の面に対して直交する方向に連設されており、これにより、基板部３２と商品仕切部３３とで、正面視野で略Ｌ字状に構成されている。
【０００５】
更に、前記基板部３２の長手方向に向いた前端には、前記商品仕切部３３の高さ寸法とほぼ同一の高さ寸法を有する平板状のストッパー部３４が、前記基板部３２の面に対して直交する方向に連設されており、これにより、基板部３２とストッパー部３４とで、側面視野で略Ｌ字状とされるとともに、ストッパー部３４は前記商品仕切部３３の端部にも、前記商品仕切部３３の面に対して直交する方向に連結されている。
【０００６】
そして、これを使用する場合には、傾斜棚の前後方向と基板部３２の長手方向が並行になるようにして、基板部３２を傾斜棚上に載置するのみでよく、それにより、マグネット３５の磁力で商品仕切り板３１が傾斜棚上に装着され、商品仕切部３３によって傾斜棚上の商品を仕切ることが可能となる。
【０００７】
ところで、従来から、商品陳列棚の前面側にプライスカードレールを装着することが行われているが、傾斜棚においてもプライスカードレールを装着することがあるため、前述の商品仕切板をプライスカードレールに装着できれば都合がよい。
【０００８】
しかし、前述の商品仕切板をプライスカードレールに装着する場合には、ストッパー部３４をプライスカードレールに係合する必要があるが、前述したように、傾斜棚専用の従来の商品仕切板３１では、図８からも明らかなように、ストッパー部３４の下端部が基板部３２に連設されているため、これをプライスカードレールに装着することは不可能である。
【０００９】
この点、ストッパー部の下端部よりも上方において基板部とストッパー部を連結する方法が採用されており、これによれば、ストッパー部の下端部をプライスカードレールに係合することが可能だが、かかる場合には、基板部の前端側が上方に傾斜してしまうために、傾斜棚と平行な状態で商品を傾斜棚に載置することができない、という問題点が考えられる。
【特許文献１】特開２０００−２１７６７５号公報
【考案の開示】
【考案が解決しようとする課題】
【００１０】
そこで、本考案は、プライスカードレールに係合することが可能であるとともに、その際に傾斜棚上の商品を傾斜棚の面と並行に載置することが可能な傾斜棚専用の商品仕切板を提供することを課題としている。
【課題を解決するための手段】
【００１１】
本考案の商品仕切板は、前方に行くに従って下方側に傾斜する金属製の商品陳列棚板上に配置した商品を仕切るために、商品陳列棚上に商品陳列棚の前後方向に向いて載置されて用いられる商品仕切板であって、
長尺で平板状の基板部と、該基端部の裏面に装着されたマグネットと、前記基板部上に基板部の面と直交する上方に向けて連設した長尺で平板状の仕切板本体と、該仕切板本体の前端部分に連設した、前記商品陳列棚の前面側に係止されたプライスカードレールの係合凹部に係合される係合部を下端部近傍に有するストッパー部と、を具備し、
前記仕切板本体は、前記基板部に連設される下端部の前端部分から斜め前方に向けてテーパー状に立ち上がったテーパー部を有するとともに、該テーパー部の先端部分から上方に立ち上がったストッパー連設部を有し、該ストッパー連設部に前記ストッパー部を連設し、前記係合部と前記基板部の前端部分との間に空間を確保したことを特徴としている。
【考案の効果】
【００１２】
本考案の商品仕切板では、長尺で平板状の基板部と、この基端部の裏面に装着されたマグネットと、基板部上に基板部の面と直交する上方に向けて連設した長尺で平板状の仕切板本体と、仕切板本体の前端部に連設した、プライスカードレールの係合凹部に係合される係合部を有するストッパー部とで構成されて、商品陳列棚上に商品陳列棚の前後方向に向いて載置される商品仕切板を前提とし、ストッパー部における係合部と、商品陳列棚上に載置される基板部の前端部分との間に空間を確保したことを特徴としている。
【００１３】
そのため、本考案の商品仕切板では、基板部に邪魔されることなく、係合部をプライスカードレールに係合することが可能であるとともに、基板部の前端側が上方に傾斜することがなく、商品を陳列棚の面と並行に陳列棚上に載置することが可能である。
【考案を実施するための最良の形態】
【００１４】
本考案の商品仕切板では、前記商品陳列棚上に棚板の前後方向に向いて載置される長尺で平板状の基板部を有しており、この基端部の裏面にはマグネットが装着されている。
【００１５】
また、基板部上には、基板部の面と直交する上方に向けて、長尺で平板状の仕切板本体が連設されており、仕切板本体の前端部には、商品陳列棚の前面側に係止されたプライスカードレールの係合凹部に係合される係合部を下端部近傍に有するストッパー部が連設されている。
【００１６】
そして、前記仕切板本体は、前記基板部に連設される下端部の前端部分から斜め前方に向けてテーパー状に立ち上がったテーパー部を有するとともに、テーパー部の先端部分から上方に立ち上がったストッパー連設部を有しており、このストッパー連設部に前記ストッパー部を連設し、これにより、ストッパー部における係合部と前記基板部の前端部分との間に空間を確保している。
【００１７】
ここで、仕切板本体とストッパー部との連設の形態は特に限定されないが、例えば、平面視野において、仕切板本体とストッパー部とで略Ｌ字状あるいは略逆Ｌ字状になるような配置で仕切板本体にストッパー部を連設する形態、平面視野において仕切板本体とストッパー部とで略逆Ｔ字状になるような配置で仕切板本体の前端部にストッパー部を連設する形態が考えられる。
【実施例１】
【００１８】
本考案の商品仕切板の実施例について図面を参照して説明すると、図１乃至図５は、本実施例の商品仕切板を説明するための図であり、図１は斜め手前側から見た斜視図、図２は斜め後方側から見た斜視図、図３は右側面図、図４は平面図、図５は正面図であり、図において１が本実施例の商品仕切板である。
【００１９】
そして、本実施例における商品仕切板１は、傾斜棚上に載置される基板部を有している。即ち、図において２が基板部であり、本実施例においてこの基板部２は、透明あるいは半透明な樹脂製の長尺の平板状としており、長手方向の寸法は、約１２５ｍｍ、あるいは約１７５ｍｍの長さとし、また幅方向の寸法は約２５ｍｍとし、使用に際しては、長手方向が傾斜棚の前後方向に向くようにして、傾斜棚上に載置される。
【００２０】
また、前記基板部２の裏面にはマグネット３が装着されており、これにより、マグネットの磁力により、基板部２を傾斜棚上に固定可能としている。
【００２１】
次に、前記基板部２の長手方向に沿った１側には仕切板本体が上方に向けて連設されている。即ち、図において４が仕切板本体であり、本実施例において前記仕切板本体４は、透明あるいは半透明な樹脂製の長尺の平板状としており、高さ寸法は、約７３ｍｍ、あるいは約８８ｍｍとし、また、下端部４０１の寸法は、前記基板部２の長手方向の寸法とほぼ同一寸法としている。そして、仕切板本体４の面が前記基板部２の面と直交する形態において、下端部４０１の全域を前記基板部２の長手方向に沿った一側に、上方に向けて連設し、これにより、長手方向に見た断面形状が、基板部２と仕切板本体４でＬ字状になるようにしている。
【００２２】
そして、前記仕切板本体４の前端部には、商品陳列棚上に配置した商品が陳列棚の傾斜に沿って手前側にずり落ちてしまうことを防止するためのストッパーが連設されている。
【００２３】
ここで、前記ストッパーについて説明すると、図において５が本実施例におけるストッパーであり、本実施例において前記ストッパー５は、透明あるいは半透明な樹脂製の平板状としたストッパー本体５０１を有しており、このストッパー本体５０１は、前記仕切板本体４の高さ方向の寸法とほぼ同一の高さ寸法とし、高さ方向に沿った一側を、前記仕切板本体４の前端部に、仕切板本体４の面とストッパー本体５０１の面が直交するような配置で連設しており、平面視野において仕切板本体４とストッパー本体５０１で略Ｌ字状になるようにしている。
【００２４】
そして、前記ストッパー本体５０１の下端部近傍には、商品陳列棚の前面側に係止されるプライスカードレールの係合凹部に係合される係合部５０２を、前記基板部２側に突設している。
【００２５】
ここで、前記仕切板本体４における前記下端部４０１は、前述したように、前記基板部２の長手方向の寸法とほぼ同一の寸法としており、その下端部４０１の前端部分から斜め前方に向けて、テーパー状に立ち上がったテーパー部４０２を有している。
【００２６】
そして、テーパー部４０２の先端部から前方にわずかに延出して水平部４０３を形成し、この水平部４０３の先端部から上方に向けて立ち上がって、この上方に立ち上がった部分をストッパー連設部４０４とし、このストッパー連設部４０４に、前記ストッパー５が連設されている。
【００２７】
従って、図１乃至図４に示されるように、本実施例の商品仕切板１では、ストッパー部４における係合部５０２と基板部２の前端との間に空間６を確保することができる。そのために、基板部２に邪魔されることなく、係合部５０２をプライスカードレールに係合することが可能であり、また、基板部２の前端側が上方に傾斜することがなく、陳列棚の面と並行な状態で、商品を陳列棚に載置することが可能である。
【００２８】
なお、本実施例においては、ストッパー連設部４０４の上端から後方に向けて、前記基板部２とほぼ水平な上端部４０５を有しており、この上端部４０５は、後方に向けて斜め下方にテーパー状とした後方テーパー部４０６を介して、前記基板部４の後端から上方に立ち上がった後端部４０７につながっている。但し、本考案において仕切板本体４は必ずしもこのように構成する必要はなく、後方テーパー部４０６を形成することなく、上端部４０５と後端部４０７を直接連結しても良い。また、前記水平部４０３は必ずしも必要なものではなく、テーパー部４０２の先端部から直接ストッパー連設部４０２を連設してもよい。
【００２９】
次に、このように構成される本実施例の商品仕切板１の作用について、図６を参照して説明すると、図６は、傾斜棚の前面側にプライスカードレールを係止して、更に、このプライスカードレールに本実施例の商品仕切板１を係合させた状態の断面構造を示しており、図６において１１が傾斜棚である。
【００３０】
そして、この傾斜棚１１の前面側には、傾斜棚１１の幅方向に沿って形成された係止溝１２が備えられており、この係止溝１２に係止される形態で、傾斜棚１１には、商品のプライスカードやポップ広告等を傾斜棚１１に装着するためのプライスカードレール１３が係止されている。
【００３１】
ここで、前記プライスカードレール１３は、互いに下端部分で回動自在に連結された正面板１３０１と背面板１３０２とを備えることによって、プライスカード等を挟持可能な挟持部１３０３が形成されている。また、前記背面板１３０２の先端部には、背面板１３０２の背面側に配置されるようにして支持板１３０４が連設され、この支持板１３０４の下端部分には、傾斜棚１１の前面側に形成された係止溝１２内に挿入可能な挿入部１３０５が連設され、更に、支持板１３０４における背面側任意の箇所には、係合凹部１３０６が備えられており、傾斜棚４の前面側に形成された係止溝１２内に前記挿入部１３０５を挿入して、傾斜棚１１に係止されている。
【００３２】
そして、本実施例の商品仕切板１は、傾斜棚１１の前面側にプライスカードレール１３を係止した状態において、基板部２の長手方向が傾斜棚の前後方向に向くような配置で傾斜棚上に載置されるとともに、図６に示すように、プライスカードレール１３の係合凹部１３０６内に係合部５０２を係合することで、プライスカードレール１３に係合させることが可能であり、これにより、傾斜棚１１上に固定され、傾斜棚１１の前後方向に向けて仕切板本体４が配設されることとなり、傾斜棚１１上で商品の仕切りを行うことが可能となり、更に、ストッパー部５により、傾斜棚上に配置した商品が傾斜棚の傾斜に沿って手前側にずり落ちてしまうことを防止することができる。
【００３３】
即ち、商品仕切板をプライスカードレールに装着する場合には、プライスカードレールの係合凹部に係合可能な係合部を有する必要があるところ、従来の傾斜棚用の商品仕切板ではストッパー部が基板部に連設されているために、プライスカードレールの係合凹部に係合可能な係合部を備えることができなかった。
【００３４】
しかし、本実施例の商品仕切板１では、前記仕切板本体４において、基板部２に連設される下端部４０１の前端部分から斜め前方に向けて、テーパー状に立ち上がったテーパー部４０２を有し、このテーパー部４０２の先端部分から上方に向けて立ち上がったストッパー連設部４０４を有し、このストッパー連設部４０４に、プライスカードレール１３に係合されるストッパー５を連設しており、これにより、ストッパー部４における係合部５０２と基板部２の前端との間に空間６を確保しているため、基板部２に邪魔されることなく、ストッパー部５における係合部５０２をプライスカードレール１３の係合凹部１３０６に係合することができるようになった。
【００３５】
また、基板部２の前端側が上方に傾斜することもないため、商品を傾斜棚の面と並行に載置することが可能であり、更に、基板部２の裏面にはマグネット３を装着しているために、商品仕切板１を傾斜棚１１上に確実に固定することも可能である。
【００３６】
このように、本実施例の商品仕切板１では、ストッパー部４における係合部５０２と、基板部２の前端との間に空間６を確保しているために、基板部２に邪魔されることなく、ストッパー部５における係合部５０２をプライスカードレール１３の係合凹部１３０６に係合することができるとともに、基板部２の前端側が上方に傾斜することもないために商品を傾斜棚面と並行に載置することが可能である。
【００３７】
なお、前述の説明では、長手方向に見た断面形状が、基板部２と仕切板本体４の面でＬ字状になるように配置するとともに、平面視野において仕切板本体４とストッパー本体５０１で略Ｌ字状になるようにした形態を説明したが、必ずしもこの形態には限定されず、長手方向に見た断面形状が基板部と仕切板本体で逆Ｌ字状になるように配置するとともに、平面視野において仕切板本体とストッパー本体で逆Ｌ字状になるようにしてもよく、あるいは、図７にも示されるように、長手方向に見た断面形状が基板部と仕切板本体で逆Ｔ字状になるように配置するとともに、平面視野において仕切板本体とストッパー本体で逆Ｔ字状になるようにしてもよい。
【産業上の利用可能性】
【００３８】
本考案の商品仕切板は、前方に行くに従って下方側に傾斜する金属製の商品陳列棚の前面にプライスカードレールを係止した場合に、そのプライスカードレールに係合可能としているために、プライスカードレールを係止する可能性のある傾斜棚に用いられる商品仕切板の全般に適用可能である。
【図面の簡単な説明】
【００３９】
【図１】本考案の商品仕切板の実施例を示す斜視図である。
【図２】本考案の商品仕切板の実施例を示す斜視図である。
【図３】本考案の商品仕切板の実施例の右側面を示す図である。
【図４】本考案の商品仕切板の実施例の平面を示す図である。
【図５】本考案の商品仕切板の実施例の正面を示す図である。
【図６】本考案の商品仕切板の実施例の作用を説明するための図である。
【図７】本考案の商品仕切板の他の形態を示す斜視図である。
【図８】従来の傾斜棚用の商品仕切板を説明するための図である。
【符号の説明】
【００４０】
１    商品仕切板
２    基板部
３    マグネット
４    仕切板本体
４０１    下端部
４０２    テーパー部
４０３    水平部
４０４    ストッパー連設部
４０５    上端部
４０６    後方テーパー部
４０７    後端部
５    ストッパー
５０１    ストッパー本体
５０２    係合部
６    係合部と基板先端との間の空間
１１    傾斜棚
１２    係止溝
１３    プライスカードレール
１３０１    正面板
１３０２    背面板
１３０３    挟持部
１３０４    支持板
１３０５    係止部
１３０６    係合凹部
【図１】
0003147744.tif 000003
【図２】
0003147744.tif 000004
【図３】
0003147744.tif 000005
【図４】
0003147744.tif 000006
【図５】
0003147744.tif 000007
【図６】
0003147744.tif 000008
【図７】
0003147744.tif 000009
【図８】
0003147744.tif 000010